【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
撮像素子と、
撮影光学系から前記撮像素子への光路の内外に移動可能であり、該光路内において前記撮影光学系からの光が透過する光学部材と、
前記光学部材が前記光路内に位置する第１の状態と該光学部材が前記光路外に位置する第２の状態とでそれぞれ、前記撮像素子からの信号に基づいて画像を生成し、出力する画像処理手段と、
前記第１の状態での出力画像と前記第２の状態での出力画像との変位量を小さくするように、前記画像処理手段による前記撮像素子からの信号の読み出し位置又は読み出し範囲を、前記第１の状態と前記第２の状態とで変更する読み出し制御手段とを有することを特徴とする撮像装置。
【請求項２】
前記第１および第２の状態で得られた画像から前記変位量を検出する検出手段を有し、
前記読み出し制御手段は、前記検出手段による検出結果に基づいて前記読み出し位置又は前記読み出し範囲を変更することを特徴とする請求項１に記載の撮像装置。
【請求項３】
撮像素子と、
撮影光学系から前記撮像素子への光路の内外に移動可能であり、該光路内において前記撮影光学系からの光が透過する光学部材と、
前記光学部材が前記光路内に位置する第１の状態と該光学部材が前記光路外に位置する第２の状態とでそれぞれ、前記撮像素子からの信号に基づいて画像を生成し、出力する画像処理手段と、
前記第１の状態での出力画像と前記第２の状態での出力画像との変位量を小さくするように、前記画像処理手段による生成画像からの出力位置又は出力範囲を、前記第１の状態と前記第２の状態とで変更する出力制御手段とを有することを特徴とする撮像装置。
【請求項４】
前記第１および第２の状態で得られた画像から前記変位量を検出する検出手段を有し、
前記出力制御手段は、前記検出手段による検出結果に基づいて前記出力位置又は前記出力範囲を変更することを特徴とする請求項３に記載の撮像装置。
【請求項５】
撮像素子と、
撮影光学系から前記撮像素子への光路の内外に移動可能であり、該光路内において前記撮影光学系からの光が透過する光学部材と、
前記光学部材が前記光路内に位置する第１の状態と該光学部材が前記光路外に位置する第２の状態とでそれぞれ、前記撮像素子からの信号に基づいて画像を生成し、出力する画像処理手段と、
前記第１の状態での出力画像と前記第２の状態での出力画像との変位量を小さくするように、前記撮像素子の位置を、前記第１の状態と前記第２の状態とで変更する撮像素子駆動手段とを有することを特徴とする撮像装置。
【請求項６】
前記第１および第２の状態で得られた画像から前記変位量を検出する検出手段を有し、
前記撮像素子駆動手段は、前記検出手段による検出結果に基づいて前記撮像素子の位置を変更することを特徴とする請求項５に記載の撮像装置。
【請求項７】
前記光学部材は、前記撮影光学系からの光を分割する光分割手段であることを特徴とする請求項１から６のいずれか１つに記載の撮像装置。
【請求項８】
前記光路内に位置する前記光分割部材からの光が導かれる光学ファインダと、
前記撮影光学系の焦点状態を検出する焦点検出ユニットとを有し、
前記撮影光学系からの光を前記光分割手段により前記撮像素子および前記焦点検出ユニットに導く前記第１の状態と、前記第２の状態と、前記撮影光学系からの光を前記光分割手段により前記ファインダ光学系および前記焦点検出ユニットに導く第３の状態とに切り換わることを特徴とする請求項７に記載の撮像装置。
【手続補正２】
【補正対象書類名】明細書
【補正対象項目名】００１１
【補正方法】変更
【補正の内容】
【００１１】
１つの側面としての本発明の撮像装置は、撮像素子と、撮影光学系から該撮像素子への光路の内外に移動可能であり、該光路内において撮影光学系からの光が透過する光学部材と、該光学部材が該光路内に位置する第１の状態と該光学部材が該光路外に位置する第２の状態とでそれぞれ、撮像素子からの信号に基づいて画像を生成し、出力する画像処理手段とを有する。そして、第１の状態での出力画像と第２の状態での出力画像との変位量を小さくするように、画像処理手段による撮像素子からの信号の読み出し位置又は読み出し範囲を、第１の状態と第２の状態とで変更する読み出し制御手段を有する。
他の１つの側面としての本発明の撮像装置は、撮像素子と、撮影光学系から該撮像素子への光路の内外に移動可能であり、該光路内において撮影光学系からの光が透過する光学部材と、該光学部材が該光路内に位置する第１の状態と該光学部材が該光路外に位置する第２の状態とでそれぞれ、撮像素子からの信号に基づいて画像を生成し、出力する画像処理手段とを有する。そして、第１の状態での出力画像と第２の状態での出力画像との変位量を小さくするように、画像処理手段による生成画像からの出力位置又は出力範囲を、第１の状態と第２の状態とで変更する出力制御手段を有する。
さらに他の１つの側面としての本発明の撮像装置は、撮像素子と、撮影光学系から該撮像素子への光路の内外に移動可能であり、該光路内において撮影光学系からの光が透過する光学部材と、該光学部材が該光路内に位置する第１の状態と該光学部材が該光路外に位置する第２の状態とでそれぞれ、撮像素子からの信号に基づいて画像を生成し、出力する画像処理手段とを有する。そして、第１の状態での出力画像と第２の状態での出力画像との変位量を小さくするように、撮像素子の位置を、第１の状態と第２の状態とで変更する撮像素子駆動手段を有する。
【手続補正３】
【補正対象書類名】明細書
【補正対象項目名】００１２
【補正方法】削除
【補正の内容】
【手続補正４】
【補正対象書類名】明細書
【補正対象項目名】００１９
【補正方法】変更
【補正の内容】
【００１９】
主ミラー１０５の背後（撮像素子側）には、サブミラー１０５が設けられている。このサブミラー１０５は図示の状態で、主ミラー１０４を透過した光のうち光軸に近い領域の光を焦点検出ユニット１０６に向けて反射する。これらの主ミラー１０４とサブミラー１０５からなる光学分離系は、不図示のミラー駆動機構により駆動され、図１および図２（Ａ）に示すように、主ミラー２０４およびサブミラー１０５によってそれぞれファインダ光学系１５０と焦点検出ユニット１０６に光を導く第１の光路分割状態（請求の範囲にいう第３の状態に相当する）と、図２（Ｂ）に示すように、主ミラー１０４によって撮像素子１０８および焦点検出ユニット１０６に光を導く第２の光路分割状態（請求の範囲にいう第１の状態に相当する）と、図２（Ｃ）に示すように、主ミラー１０４およびサブミラー１０５とともに撮影光路外に退避する第３の光路分割状態（請求の範囲にいう第２の状態に相当する）に切り換わる。なお、主ミラー１０４とサブミラー１０５は、光分割手段としての光路分割系を構成する。
【手続補正５】
【補正対象書類名】明細書
【補正対象項目名】００３０
【補正方法】変更
【補正の内容】
【００３０】
したがって、被写体側の同一エリアを撮影しようとしても、第２の光路分割状態において撮影レンズ１０２および主ミラー１０４を介して撮像素子１０８上に結像するエリアと、第３の光路分割状態において撮影レンズ１０２からダイレクトに撮像素子１０８上に結像するエリアとが、図４で示すように異なってしまう。
【手続補正６】
【補正対象書類名】明細書
【補正対象項目名】００３３
【補正方法】変更
【補正の内容】
【００３３】
１３２は撮像素子１０８を上下方向に移動させる撮像素子アクチュエータ（撮像素子駆動手段）である。１３３は撮像素子１０８からの出力信号（画素信号）をＡ／Ｄ変換するＡ／Ｄ変換器、１３４はＡ／Ｄ変換された画素信号に対して、各種の補正処理、ＲＢＧ信号のＹＣ信号への変換、ホワイトバランス処理、ガンマ補正処理、信号補間処理等を行うことにより画像を生成し、出力する画像処理部である。１３５は画像処理部１３４から出力された画像を、半導体メモリ、光ディスク、磁気テープ等の記録媒体に記録する記録部である。
【手続補正７】
【補正対象書類名】明細書
【補正対象項目名】００３７
【補正方法】変更
【補正の内容】
【００３７】
ファインダモードが切り換わった場合、ステップ１０３では、制御部１４１は、その新たなファインダモードに対応した光路分割状態が設定されるように、ミラー駆動機構１３１に信号を送り、主ミラー１０４およびサブミラー１０５を駆動させる。ＯＶＦモードが設定された場合は第１の光路分割状態に、ＥＶＦモード（以下、ライブビュー表示モードという）が設定された場合には第２の光路分割状態になる。ファインダモードが切り換わらなかった場合には、現在の光路分割状態を維持する。
【手続補正８】
【補正対象書類名】明細書
【補正対象項目名】００３９
【補正方法】変更
【補正の内容】
【００３９】
ステップ１０５では、制御部（読み出し制御手段）１４１は、撮影レンズ１０２および主ミラー１０４を介して撮像素子１０８上に結像した被写体像を撮像素子１０８に光電変換させ、画像処理部１３４に該撮像素子１０８からの画素信号を読み出させる。このとき、ステップ１０６では、制御部１４１は画像処理部１３４を制御して、図３および図４に示した第２の光路分割状態でのライブビュー画面の第３の光路分割状態での高精細静止画面に対するずれ量ΔＸを小さくする方向（理想的には、ΔＸを０にするように）に補正するために、読み出しアドレス（位置）又は読み出しエリアをΔＸに相当する画素分シフトさせる等の処理を行わせる。これにより、ステップ１０７において、ライブビュー画面の全体を表示素子１０７に表示させることができる。すなわち、ライブビュー表示モードでの撮影エリアの補正を行うことができる。
【手続補正９】
【補正対象書類名】明細書
【補正対象項目名】００４３
【補正方法】変更
【補正の内容】
【００４３】
動画撮影モードと判定した場合には、ステップ１１０にて、ライブビュー画面上の動画と同じ動画を記録できるように、ステップ１１０にて、画像処理部１３４に撮像素子１０８からの画素信号を読み出させる。このとき、ステップ１０６と同様に読み出しアドレス又は読み出しエリアの補正を行わせ（ステップ１１１）、補正後の動画を記録部１３５を介して記録媒体に記録させ（ステップ１１２）、ステップ１０１に戻る。
【手続補正１０】
【補正対象書類名】明細書
【補正対象項目名】００４４
【補正方法】変更
【補正の内容】
【００４４】
ステップ１０９にて高速静止画撮影モードと判定した場合には、ライブビュー表示と同じ画面の静止画を記録するために、第２の光路分割状態のままで静止画を生成させる（ステップ１１３）。このとき、ステップ１０６と同様に、画素信号の読み出しアドレス又は読み出しエリアの補正を行わせ（ステップ１１４）、補正後の静止画を記録部１３５を介して記録媒体に記録させ（ステップ１１５）、ステップ１０１に戻る。
【手続補正１１】
【補正対象書類名】明細書
【補正対象項目名】００５０
【補正方法】変更
【補正の内容】
【００５０】
以上のように、本実施例によれば、ＯＶＦモードにおいてファインダ光学系１５０を通して見ている画像（撮影エリア）と、ライブビュー表示モードで表示素子１０７を通して見ている画像と、動画記録モードで記録された画像と、高速静止画記録モードで記録された画像と、高精度静止画モードで記録された画像とを互いに略一致させることが可能となる。
【手続補正１２】
【補正対象書類名】明細書
【補正対象項目名】００５１
【補正方法】変更
【補正の内容】
【００５１】
なお、本発明における「制御」は、本実施例のものに限定されない。すなわち、本実施例では、撮影エリアの補正を行うために、画像の生成処理における撮像素子からの画素信号の読み出し時に、読み出しアドレス又は読み出しエリアをΔＸ分シフトする場合について説明したが、例えば、制御部（出力制御手段）１４１は、画像処理部１３４に撮像素子の全画素読み出しを行わせ、その後、全画素読み出しを行った画素信号の中からの読み出しアドレス又は読み出しエリアをΔＸ分シフトさせた画像を生成させ、これを出力（表示又は記録）させるようにしてもよい。
【手続補正１３】
【補正対象書類名】明細書
【補正対象項目名】００５６
【補正方法】変更
【補正の内容】
【００５６】
ファインダモードが切り換わった場合、ステップ２０３では、制御部１４１は、その新たなファインダモードに対応した光路分割状態が設定されるように、ミラー駆動機構１３１に信号を送り、主ミラー１０４およびサブミラー１０５を駆動させる。ＯＶＦモードが設定された場合は第１の光路分割状態に、ライブビュー表示モードが設定された場合には第２の光路分割状態になる。ファインダモードが切り換わらなかった場合には、現在の光路分割状態を維持する。
【手続補正１４】
【補正対象書類名】明細書
【補正対象項目名】００５８
【補正方法】変更
【補正の内容】
【００５８】
そして、この第２の光路分割状態では、制御部１４１は、図３および図４に示すようにライブビュー画面（２の光路分割状態）の高精細静止画画面（第３の光路分割状態）に対するずれ量ΔＸに相当する距離、撮像素子１０８を撮影光軸に略直交する上下方向に移動させるよう、撮像素子アクチュエータ１３２を制御する（ステップ２３０）。これにより、撮像素子１０８上におけるライブビュー画面の高精細静止画面に対するずれ量ΔＸが小さくなる方向の（理想的には、ΔＸが０になるような）補正が行われることになり、ライブビュー画面の読み出しアドレス又は読み出しエリアと高精細静止画画面のそれらとが同じであっても、ライブビュー画面の撮影エリアと高精細静止画面の撮影エリアとが略一致する。このため、ライブビュー画面の全体を表示素子１０７に表示させることができる。ステップ２０５およびステップ２０７では、制御部１４１は、画像処理部１３４に、こうして位置を補正した後の撮像素子１０８から画素信号を読み出させ、ライブビュー画像を生成させ、さらに該画像を表示素子１０７に表示させる。
【手続補正１５】
【補正対象書類名】明細書
【補正対象項目名】００６８
【補正方法】変更
【補正の内容】
【００６８】
以上のように本実施例によれば、ＯＶＦモードにおいてファインダ光学系１５０を通して見ている画像（撮影エリア）と、ライブビュー表示モードで表示素子１０７を通して見ている画像と、動画記録モードで記録された画像と、高速静止画記録モードで記録された画像と、高精度静止画モードで記録された画像とを互いに略一致させることが可能となる。
【手続補正１６】
【補正対象書類名】明細書
【補正対象項目名】００７２
【補正方法】変更
【補正の内容】
【００７２】
また、１４３は第２の光路変更部材であり、第２の光路分割状態での撮影光軸の変位に対応してファインダ光学系１５０での結像位置（ファインダ光路）を変位させる状態と変位させない状態とに切り換わる。このような第２の光路変更部材１４３を用いて、第２の光路分割の際にファインダ光学系１５０への光路そのものをΔＸ分シフトさせてファインダ表示を行うようにして動画記録モードで記録される撮影エリアを、予めＯＶＦモードで確認することができる。
【手続補正１７】
【補正対象書類名】図面
【補正対象項目名】図６
【補正方法】変更
【補正の内容】
【図６】
2006222903.tif 000001